(57)【要約】【課題】データ書き込み中や鏡筒が繰り出した状態では電池やメモリの交換をできないようにする。【解決手段】本体内部に電源となる電池を収容する電池室２０を有する撮像装置において、撮像装置の起動中において、撮像装置の作動部材２３に連動し、電池が本体２１から離脱しないようにロックするロック部材２２を備える。【選択図】      図２
2004163608.tif 000002
【特許請求の範囲】
【請求項１】
本体内部に電源となる電池を収容する電池室を有する撮像装置において、
前記撮像装置の起動中において、前記撮像装置の作動部材に連動し、前記電池が前記本体から離脱しないようにロックするロック手段を備えることを特徴とする撮像装置。
【発明の詳細な説明】
【０００１】
【発明の属する技術分野】
本発明はカメラの電池蓋、メモリ収納部の蓋などが不用意に開かないようにする技術に関する。
【０００２】
【従来の技術】
公知の技術として、デジタルカメラの撮影データの保護を行う場合、電池室もしくはメモリ室を覆う蓋部材にラッチを設けたり、電池やメモリにラッチを設ける構成としたものが知られている。
【０００３】
図２８は従来電池蓋にラッチを設けた際の、カメラの撮影動作と電池交換に関する作動シーケンスを示す図である。この図を用いて従来のカメラでの撮影動作と電池交換について説明する。
【０００４】
カメラが非撮影状態にあるとき、鏡筒ユニットがカメラ本体内部に収納状態にある。まずステップＳ１００１でカメラの電源をＯＮするとＳ１００２にすすみ鏡筒が繰出される。ステップＳ１００３にてレリーズ釦をＯＮすると、撮像素子に露光を行い、撮像素子によって光学情報が電気信号に変換される。Ｓ１００４にてＡ／Ｄ変換回路によりデジタル信号に変換された撮像情報がメモリ制御回路によりメモリに記録される。Ｓ１００５にて蓋開き動作を行うとＳ１００６にて蓋開き動作を検知ＳＷ（スイッチ）の検知信号により検知して、Ｓ１００７にすすみ電源をＯＦＦする（ＳＷや電池ラッチのないものは電池がはずれ電源が落ちる）。Ｓ１００８にて電池を外しＳ１００９にて電池を入れ電池蓋を閉じ、Ｓ１０１０にて電源を入れカメラが再始動するとＳ１０１１にて鏡筒の位置を検出するために一度鏡筒が本体へ繰り込まれ（ホームポジション検知）、Ｓ１０１２にて鏡筒をＷ位置（広角側位置）で待機させる。
【発明が解決しようとする課題】
このように電池室もしくはメモリ室を覆う蓋部材にラッチを設けたり、電池やメモリにラッチを設ける構成とした場合、撮影中にラッチを解除して蓋を開けることができるので不用意に電池やメモリが外れデータを破損する可能性がある。
【０００５】
また現在市販されているカメラは鏡筒が繰出した状態で蓋開き動作や電池を取り出すと電源がＯＦＦしてしまい電池の交換作業中に誤ってカメラを落下させると鏡筒を破損する恐れがある。また不用意な蓋開き動作や電池の取り外しにより電源がＯＦＦすると、電池を入れ再復帰しても、鏡筒のホームポジション検知のため、一度鏡筒が繰り込み動作を行うので、すぐに撮影動作にうつれずにシャッターチャンスを逃すこと等の欠点が考えられる。
【０００６】
従って、本発明は上述した課題に鑑みてなされたものであり、その目的は、データ書き込み中や鏡筒が繰り出した状態では電池やメモリの交換をできないようにすることである。
【０００７】
【課題を解決するための手段】
上述した課題を解決し、目的を達成するために、本発明に係わる撮像装置は、本体内部に電源となる電池を収容する電池室を有する撮像装置において、前記撮像装置の起動中において、前記撮像装置の作動部材に連動し、前記電池が前記本体から離脱しないようにロックするロック手段を備えることを特徴としている。
【０００８】
【発明の実施の形態】
以下、本発明の好適な実施形態について添付図面を参照して詳細に説明する。
【０００９】
（第１の実施形態）
以下、図１乃至図７を参照して本発明の第１の実施形態について説明する。
【００１０】
図１はデジタルカメラの外観を示す斜視図、図２は図１のデジタルカメラの内部を示す斜視図、図３は図２の電池蓋ロック部材の付勢状態を示す詳細図、図４は図２の電池蓋ロック部材の蓋ロック構成を示す詳細図、図５は本実施形態に係わるデジタルカメラのブロック図、図６は電池蓋ロック部材の動きを示す詳細図、図７は本実施形態における撮影時、蓋開き動作に関するシーケンスのフローチャートである。
【００１１】
図１の左図において１はカメラであり、カメラ１の中央にはズーム撮影光学レンズ（不図示）を有する鏡筒２が配設されている。また、カメラ１の前面にはファインダー窓３、ストロボ窓４、ランプ窓５などの窓部材があり、カメラ１の上部には電源釦６やレリーズ釦７などの操作部材を有している。また図１の右図において８はメモリ装填室の蓋、９はファインダーの接眼部を示しており、メニュー釦１０は外部液晶１１に表示されるメニューなどの切替、決定を行うボタンであり、マルチ釦１２は撮影時には鏡筒２のズーム動作を行わせるズーム釦、撮影再生時やメニュー表示時には外部液晶１１に表示されるメニューの選択を行う釦となる。
【００１２】
次に図２乃至図４を用いてカメラ１の内部、特に電池蓋ロックの構成について説明する。
【００１３】
２１はカメラ１の電源となる電池や、撮影した画像を保存するためのメモリを挿入可能な本体であり、電池蓋２０はカメラ１の底面側にヒンジ軸２６（図４参照）によってスライドと回転可能に本体２１に組みつけられる。また電池蓋２０には図１２に示される蓋開閉検知ＳＷ（スイッチ）が設けてあり、電池蓋２０が電池蓋ロック部材２２の当接面２２ｃに当接するまでの移動状態を検知している。
【００１４】
鏡筒ユニット２３は撮影用のレンズ群を保持する直進筒と直進筒を光軸方向へ繰出すための回転筒などの複数の筒により構成され、本体２１に支持されている。鏡筒を駆動させるために鏡筒ユニット２３の下部には動力となるモータおよびギア列からなる鏡筒駆動系２４が配置されている。
【００１５】
２２は電池蓋ロック部材であり、鏡筒当接部２２ａで直進筒に当接し、鏡筒が繰出された際、直進筒の移動に伴いロック部材を移動させるために本体側バネかけ２１ａとロック部材側バネかけ２２ｂにバネ２５が設けられ、光軸に沿って被写体側（図３中、左方向）に向かって付勢されている。また電池蓋２０の開き動作を規制するために電池蓋ヒンジ軸２６との当接面２２ｃを設けてある。
【００１６】
図５は本実施形態に係わるカメラのブロック図である。
【００１７】
図５において、５０は撮影光学系５１を有する鏡筒、５２は鏡筒駆動用のギア等の減速系からなるズーム駆動系、５３はズーム駆動系の動力となるズームモータ、５４は絞り等の露光制御部、５５は撮影光学系５１や露光制御部５４を駆動する撮影駆動系、５６は撮影駆動系の動力となる駆動モータ、５７はＣＣＤ等の撮像素子、５８はアナログ信号をデジタル信号に変換するためのＡ／Ｄ変換回路、５９はメモリ、６０はメモリ５９の読み書き及びＤＲＡＭのリフレッシュ動作を制御するための制御回路である。６１は撮影シーケンス等のシステムを制御するためのシステム制御回路、６２はカメラの状態（例えば記録可能な枚数、電池の残量等）を撮影者に知らせるためのＬＣＤ等の外部表示装置、６３は主電源スイッチ（ＳＷ１）、６４は電池蓋（蓋ラッチ、電池やメモリラッチ）の開閉状態を検知するスイッチ（ＳＷ２）である。
【００１８】
次に電池蓋ロック部材の動きに関して移動状態を示す図６（左側は鏡筒繰出し状態を示すカメラ背面斜視図、右側はロック部材の動きを示す底面図）とカメラ撮影動作と蓋開き動作に関するシーケンスのフローチャートである図７を用いて説明する。
【００１９】
カメラ１が非撮影状態にあるとき、図６（ａ）に示すように鏡筒ユニット２３がカメラ本体内部に収納状態にある。このとき電池蓋ロック部材２２は、図中上方に移動しており、電池蓋２０のヒンジ軸２６が電池蓋ロック部材２２の溝から抜け出た非ロック状態にあるため、電池蓋２０の開閉は自由に行える。
【００２０】
まずステップＳ１０１でカメラの電源釦６をＯＮするとＳ１０２にすすみ鏡筒２が繰出される。このときの状態が図６（ｂ）であり、電池蓋ロック部材２２が鏡筒の繰出しに伴いバネ２５により被写体方向（図６中下方向）に移動し、電池蓋２０のヒンジ軸２６の移動を規制している。ステップＳ１０３にてレリーズ釦７をＯＮすると、撮像素子５７に露光を行い、撮像素子５７によって光学情報が電気信号に変換される。Ｓ１０４にてＡ／Ｄ変換回路５８によりデジタル信号に変換された撮像情報がメモリ制御回路６０によりメモリ５９に記録される（図５参照）。Ｓ１０５にて蓋開き動作を行なうと図６（ｃ）に示すように電池蓋は電池蓋ロック部材２２の当接面２２ｃに当接し電池蓋２０を開くことができない。このときＳ１０６にて検知ＳＷ６４により蓋開き動作を検知する。この信号をもとにＳ１０７にすすみシステム制御回路６１にてメモリ５９へ書き込み中か否かを判断する。メモリ５９へ書き込み中であればＳ１０８に進み鏡筒２を蓋開き動作時の位置で停止させておくか、本体側へ繰り込み広角側位置（本体収納直前）にて待機させるようにする。メモリ５９への書き込みが終了していれば、Ｓ１０９へ進み鏡筒２を本体側へ繰り込む、それに伴い電池蓋ロック部材２２による電池蓋２０のヒンジ軸２６の規制が外れ電池蓋を開き方向へ移動可能となる（図６（ｄ））。Ｓ１１０にて電池蓋２０を開き電池を外すとＳ１１１に進みカメラ１の電源がＯＦＦする。Ｓ１１２にて電池を入れ電池蓋２０を閉じると、カメラが再始動し、Ｓ１１３にて鏡筒をＷ位置（広角側位置）にて待機させる。このとき図６（ｂ）の状態となる。
【００２１】
以上、説明したように本実施形態によれば、電池蓋２０に鏡筒２と連動する電池蓋ロック部材２２を設けたことで、メモリ書き込み中、電池を外すことが出来ないためメモリの破損を防止することができる。
【００２２】
また鏡筒が本体に収納されてからでなければ電池蓋２０を開けることができないので、電池交換の際誤ってカメラを落下させても鏡筒を破損することがない。
【００２３】
また、主電源（電源釦）がＯＮ状態であれば、電池交換のために電池を外し電源がＯＦＦしても、新たに電池を入れるとＷ位置（広角側位置）状態に復帰するので、操作者に電源釦６を押させる手間を省くことができる。
【００２４】
（第２の実施形態）
以下、図８乃至図１０を参照して本発明の第２の実施形態について説明する。
【００２５】
図８は図１のデジタルカメラの電池ラッチにロック機構を設けた際のカメラ内部を示す底面斜視図、図９は図８の電池ラッチにロック機構を設けた際の電池ラッチ機構を示す詳細図、図１０は図８の電池ラッチのロック部材の動きを示す詳細図である。
【００２６】
図８乃至図１０を用いてカメラ１の内部、特に電池ラッチのロック構成について説明する。
【００２７】
７０はカメラの電源となる専用電池７１や、撮影した画像を保存するためのメモリ（不図示）を挿入可能な本体であり、カメラの底面側には不図示の電池蓋が、ヒンジ軸７５によってスライドと回転可能に本体７０に組みつけられる。７６は電池ラッチであり、電池ラッチ部７６ａが専用電池を係止し、電池蓋を開けた際専用電池７１がすぐにカメラから外れないようにしている。また電池ラッチ７６には電池ラッチ解除検知ＳＷ７７が設けており、電池ラッチ７６がロック部材７２の当接面７２ａに当接するまでの移動状態を検知している。７３は鏡筒ユニットで撮影用のレンズ群を保持する直進筒と直進筒を光軸方向へ繰出すための回転筒など複数の筒から成っており、回転筒を回転駆動させるために鏡筒ユニット７３の下部には動力となるモータおよびギア列からなる鏡筒駆動系７４が配置されている。７２は電池ラッチのロック部材であり、不図示の鏡筒当接部（図３の２２ａに相当する）にて直進筒に当接している。また第１の実施形態同様、鏡筒が繰出された際直進筒の移動に伴いロック部材を移動させるために本体側バネかけとロック部材側バネかけにバネを設け、光軸に沿って被写体側に付勢している（図３参照）。
【００２８】
次に電池ラッチのロック部材７２の動きに関して、移動状態を示す図１０（左側は鏡筒繰出し状態を示す斜視図、右側はロック部材の動きを示す底面図）を用いて、カメラ撮影動作と蓋開き動作について説明する。
【００２９】
カメラ１（図１参照）が非撮影状態にあるとき、図１０（ａ）に示すように鏡筒ユニット７３がカメラ本体内部に収納状態にある。このとき電池ラッチ７６は電池ラッチのロック部材７２の当接面７２ａと当たることがないので非ロック状態である。
【００３０】
まず、カメラの電源釦をＯＮすると鏡筒が繰出される。このときの状態が図１０（ｂ）であり、電池ラッチのロック部材７２が鏡筒の繰出しに伴い光軸方向の被写体側に移動し電池が取り外せないように電池ラッチ７６の回動を規制している。レリーズ釦をＯＮすると、撮像素子に露光を行い、撮像素子によって光学情報が電気信号に変換される。Ａ／Ｄ変換回路によりデジタル信号に変換された撮像情報がメモリ制御回路によりメモリに記録される。電池蓋を開き、電池ラッチ７６の解除動作を行うと図１０（ｃ）に示すように電池ラッチ７６は電池ラッチのロック部材７２の当接面７２ａに当接し解除不可能となる。このときＳＷ７７にて電池ラッチ解除動作を検知し、システム制御回路にてメモリへ書き込み中か否かを判断する。メモリへ書き込み中であるとき鏡筒を電池ラッチ解除動作時の位置で停止させたままでいるか、本体側へ繰り込み広角側位置（本体収納直前）にて待機させるようにする。メモリへの書き込みが終了していれば、鏡筒を本体側へ繰り込む、それに伴い電池ラッチのロック部材が電池ラッチのロック７２を解除する位置へ移動し電池ラッチが解除方向へ移動可能となる（図１０（ｄ））。電池ラッチを解除し電池を外すとカメラ１の電源がＯＦＦする。電池を入れ電池がラッチされると、カメラが再始動し、鏡筒をＷ位置（広角側位置）にて待機させる。このとき図１０（ｂ）の状態となる。
【００３１】
以上、説明したように本実施形態によれば、電池ラッチ７６に鏡筒と連動する電池ラッチのロック部材７２を設けたことで、メモリ書き込み中、電池ラッチ７６の解除動作をしても即座に電池が外れることがないのでメモリの破損を防止することができる。
【００３２】
また鏡筒が本体に収納されてからでなければ電池ラッチ７２が解除できないので、電池交換の際誤ってカメラを落下させても鏡筒を破損することがない。
【００３３】
また、主電源（電源釦）がＯＮ状態であれば、電池交換のために電池を外し電源がＯＦＦしても、新たに電池を入れるとＷ位置状態に復帰するので、操作者に電源釦を押させる手間を省くことができる。
【００３４】
（第３の実施形態）
以下、図１１乃至図１５を参照して本発明の第３の実施形態について説明する。
【００３５】
図１１はカメラの電池蓋にラッチを設けた際のカメラ外観を示す底面図、図１２は図１１の電池蓋ラッチにロック機構を設けた際のカメラ内部を示す詳細図、図１３は図１２の電池蓋ラッチの構成を示す詳細図（上面図）、図１４は図１２の電池蓋ラッチの構成を示す詳細図（正面図）、図１５は電池蓋ラッチのロック部材の動きを示す詳細図である。
【００３６】
図１１乃至図１４を用いてカメラの内部、特に電池蓋ラッチのロック構成について説明する。
【００３７】
第１の実施形態と同様に、カメラの電源となる電池や、撮影した画像を保存するためのメモリを挿入可能な本体の底面側に電池蓋９０を設け、ヒンジ軸９８によってスライドと回転可能に本体に組みつける。９１は電池蓋ラッチであり、電池蓋の移動方向と直交する方向にバネ付勢され移動可能に電池蓋に組みつけられ、電池蓋の開きを規制している。
【００３８】
また電池蓋９０には蓋開き検知ＳＷ９５が設けてあり、電池蓋９０を移動させた際、電池蓋ラッチ９１が電池蓋ラッチのロック部材９７のロック部９７ａに当接するまでの移動状態を検知している。９４は鏡筒ユニットで撮影用のレンズ群を保持する直進筒と直進筒を光軸方向へ繰出すための回転筒等の複数の筒から成っており、回転筒を回転駆動させるために鏡筒ユニット９４の下部には動力となるモータおよびギア列からなる鏡筒駆動系９６が配置されている。９７は電池蓋ロック部材であり、鏡筒当接部にて直進筒に当接している。また直進筒の光軸方向への移動に伴い、ロック部材を移動させるために本体側バネかけとロック部材側バネかけにバネを設け、光軸に沿って被写体側に付勢している。
【００３９】
次に電池蓋ラッチのロック部材９７の動きに関して移動状態を示す図１５（左側は鏡筒繰出し状態を示す上面図、右側はロック部材の動きを示す正面図）を用いて、カメラ撮影動作と蓋開き動作について説明する。
【００４０】
カメラが非撮影状態にあるとき、図１５（ａ）に示すように鏡筒ユニット９４がカメラ本体内部に収納状態にある。このとき電池蓋ラッチ９１は電池蓋ラッチ９１のロック部材９７のロック部９７ａと当たることがないので非ロック状態にある。まずカメラの電源をＯＮし鏡筒が繰出される。このときの状態が図１５（ｂ）であり、電池蓋ラッチのロック部材９７が鏡筒の繰出しに伴い光軸方向の被写体側に移動し電池蓋ラッチ９１の解除不可能な位置に入り込む、このとき電池蓋９０は電池蓋ラッチ９１と電池蓋ラッチのロック部材９７のロック部９７ａが当接するまで、開き方向に移動可能である。レリーズ釦をＯＮすると、撮像素子に露光を行い、撮像素子によって光学情報が電気信号に変換される。Ａ／Ｄ変換回路によりデジタル信号に変換された撮像情報がメモリ制御回路によりメモリに記録される。蓋開き動作を行うと図１５（ｃ）に示すように電池蓋ラッチ９１は電池蓋ラッチのロック部材９７のロック部９７ａに当接し解除不可能となる。このときＳＷ９５で電池蓋の解除動作を検知し、システム制御回路にてメモリへ書き込み中か否かを判断する。メモリへ書き込み中であるとき鏡筒を電池蓋ラッチ解除動作時の位置で停止させたままでいるか、本体側へ繰りみ広角側位置（本体収納直前位置）にて待機させる。メモリへの書き込みが終了していれば、鏡筒を本体側へ繰り込む、それに伴い電池蓋ラッチのロック部材９７が電池蓋ラッチ９１のロックを解除する位置へ移動し電池蓋ラッチ９１が移動可能となる（図１５（ｄ））。電池蓋ラッチ９１を解除し電池蓋９０を開けると、電池が切片からはずれ、カメラの電源がＯＦＦする。電池を入れ電池蓋を閉じると、カメラが再始動し、鏡筒をＷ位置にて待機させる。このとき図１５（ｂ）の状態となる。
【００４１】
以上、説明したように本実施形態によれば、電池蓋ラッチ９１に鏡筒と連動する電池蓋ラッチのロック部材９７を設けたことで、メモリ書き込み中、電池蓋ラッチ９１の解除動作をしても即座に電池が外れることがないのでメモリの破損を防止することができる。
【００４２】
また鏡筒が本体に収納されてからでなければ電池蓋ラッチ９１を解除できないので、電池交換の際、誤ってカメラを落下させても鏡筒を破損することがない。
【００４３】
また、主電源（電源釦）がＯＮ状態であれば、電池交換のために電池を外し電源がＯＦＦしても、新たに電池を入れるとＷ位置状態に復帰するので、操作者に電源釦を押させる手間を省くことができる。
【００４４】
（第４の実施形態）
以下、図１６乃至図２０を参照して本発明の第４の実施形態について説明する。
【００４５】
図１６はスライドバリアを有するデジタルカメラの外観を示す斜視図、図１７は図１６のスライドバリアを有するデジタルカメラの内部を示す底面図、図１８は図１７のスライドバリアと連動する電池蓋ラッチのロック機構の構成を示す詳細図、図１９は図１８のスライドバリアと連動する電池蓋ラッチのロックの動きを示す詳細図、図２０は撮影時、蓋開き動作に関するシーケンスのフローチャートである。
【００４６】
図１６の左図において１１０はカメラ、１１１はカメラ非撮影状態においてはカメラ前面の鏡筒やファインダー窓等を覆う位置にあり、撮影状態においては鏡筒の繰出しを妨げることがない位置に移動可能なスライドバリアである。  スライドバリア１１１はカメラの主電源と連動し、鏡筒が繰出し可能な位置にあるとき、電源がＯＮし、鏡筒が繰り込みバリアが閉じられた状態にあるとき電源がＯＦＦする。カメラ中央にはズーム撮影光学レンズ（不図示）有する鏡筒が配設され、鏡筒が繰出しているときスライドバリア１１１の閉じ動作を行うと、スライドバリア１１１が鏡筒と当接する直前で、スライドバリア１１１の移動を規制し、スライドバリア１１１の位置検知ＳＷによりバリアの閉じ動作が行われたことを検知する。その信号により鏡筒の繰り込み動作が行われ、鏡筒が本体に収納されるとバリアを完全に閉じることが可能となる。カメラ１１０の前面にはファインダー窓（不図示）、ストロボ窓１１２、ランプ窓１１３などの窓部材を有し、カメラ１１０の上面にはレリーズ釦１１４やセルフ釦１１５などの操作部材を有している。また図１６の右図において１１６はメモリ装填室の蓋、１１７はファインダーの接眼部を示しており、メニュー操作釦１１８は外部液晶１１９に表示されるメニューなどの切替、決定を行うボタンであり、マルチ釦１２０は撮影時には鏡筒のズーム動作を行わせるズーム釦となり、撮影再生時やメニュー表示時には外部液晶１１９に表示されるメニューの選択を行う釦となる。
【００４７】
次に図１７及び図１８を用いてカメラ１１０の内部、特に電池蓋ロック構成について説明する。
【００４８】
１２０はカメラ１１０の電源となる電池や、撮影した画像を保存するためのメモリを挿入可能な本体であり、本体１２０の底面部にヒンジ軸１２６によってスライドと回転可能に電池蓋を設けてある。１２３は鏡筒ユニットで撮影用のレンズ群を保持する直進筒と直進筒を光軸方向へ繰出すための回転筒等複数の筒から成っており、回転筒を回転駆動させるために鏡筒ユニット１２３の下部には動力となるモータおよびギア列からなる鏡筒駆動系１２４が配置されている。電池蓋ロック部材１２５はスライドバリア１１１の摺動面１１１ａに摺接し、スライドバリア１１１の動きに連動し、電池蓋１２１のヒンジ軸１２６と当接面１２５ａが当接し、電池蓋１２１の動きを規制する。また電池蓋ロック部材１２５はバネによってバリア方向に付勢されている。
【００４９】
次に電池蓋ロック部材の動きに関して、移動状態を示す図１９（左側は鏡筒繰出し状態を示す斜視図、右側はロック部材の動きを示す底面図）とカメラ撮影動作と蓋開き動作に関するシーケンスのフローチャートを示す図２０を用いてカメラの電池蓋ロックについて説明する。
【００５０】
カメラ１１０が非撮影状態にあるとき、図１９（ａ）に示すように鏡筒がカメラ本体内部に収納状態にある。このとき電池蓋ロック部材１２５は電池蓋１２１のヒンジ軸１２６を非ロック状態である。まずステップＳ２０１でスライドバリア１１１を図中左方向に移動させると電池蓋ロック部材１２５がスライドバリア１１１の移動に伴い光軸方向（鏡筒繰出し方向と反対向きに）に移動し電池蓋１２１のヒンジ軸１２６の移動を規制する（図１９（ｂ））。さらにバリアを移動させてゆくとカメラの電源がＯＮし、Ｓ２０２にすすみ鏡筒が繰出される。このときの状態が図１９（ｃ）であり、ステップＳ２０３にてレリーズ釦をＯＮすると、撮像素子に露光を行い、撮像素子によって光学情報が電気信号に変換される。Ｓ２０４にてＡ／Ｄ変換回路によりデジタル信号に変換された撮像情報がメモリ制御回路によりメモリに記録される。Ｓ２０５にてスライドバリア１１１の閉じ動作を行うと、まずバリアが鏡筒と当接し（もしくは鏡筒と連動するバリア移動規制部材にて移動を規制）鏡筒が完全に繰り込まれるまで閉じ位置への移動が不可能状態となる。このときスライドバリア１１１に連動する電池蓋ロック部材１２５もロック解除位置への移動が不可能であるため、電池蓋１２１は電池蓋ロック部材１２５の規制部に当接し開き不可能となる。このときＳ２０６にすすみシステム制御回路にてメモリへ書き込み中か否かを判断する。メモリへ書き込み中であるときＳ２０７に進み鏡筒をバリア閉じ動作時の位置で鏡筒を停止させたままでいるか、本体側へ繰り込みワイド位置にて待機させるようにする。メモリへの書き込みが終了していれば、Ｓ２０８へ進み鏡筒を本体側へ繰り込む。それに伴いスライドバリアを全閉じ位置への移動が可能となり、Ｓ２０９にてバリアを全閉すると、ヒンジ軸１２６の規制が外れ電池蓋を開き方向へ移動させることが可能となる。（図１９（ｄ））。Ｓ２１０、Ｓ２１１にて電池蓋１２１を開き電池を外すとＳ２１２に進みカメラ１の電源がＯＦＦする。Ｓ２１２にて電池を入れ電池蓋１２１を閉じると電池交換完了となる。このとき図１９（ａ）の状態となる。
【００５１】
以上、説明したように本実施形態によれば、電池蓋１２１にスライドバリア１１１と連動する電池蓋ロック部材１２５を設けたことで、メモリ書き込み中、電池蓋１２１を開く動作をしても電池が外れることがないのでメモリの破損を防止することができる。
【００５２】
また鏡筒が本体に収納されてからでなければ電池蓋１２１を開けることができないので、電池交換しようとして、誤ってカメラを落下させても鏡筒を破損することがない。
【００５３】
（第５の実施形態）
以下、図２１乃至図２５を参照して本発明の第５の実施形態について説明する。
【００５４】
図２１は撮影機能変更ダイヤル有するデジタルカメラの外観を示す斜視図、図２２は図２１の撮影機能ダイヤルの使用位置を示す詳細図、図２３は図２１の電池蓋ロック部を示す詳細図、図２４は図２１の撮影機能ダイヤルとロック構成を示す詳細図、図２５は撮影機能ダイヤルと連動する電池蓋ラッチのロックの動きを示す詳細図で、右からカメラ上面図、左側面図、正面図（拡大図）を示している。
【００５５】
図２１の左図において１４０はカメラであり、カメラ１４０のほぼ中央にはズーム撮影光学レンズ（不図示）を有する鏡筒１４１が配設されている。また、カメラ１４０の前面にはファインダー窓１４２、ストロボ窓１４３、ランプ窓１４４などの窓部材を有しており、カメラ上面にはカメラの電源と撮影シーンに合わせてカメラ１４０の動作を変える撮影機能ダイヤル１４６やレリーズ釦１４５、電源がＯＮ状態を示す可動指標１４７などを有している。また図２１の右図において１４８はメモリ装填室の蓋、１４９はファインダーの接眼部を示しており、メニュー操作釦１５０は外部液晶１５１に表示されるメニューなどの切替、決定を行うボタンであり、マルチ釦１５２は撮影時には鏡筒１４１のズーム動作を行わせるズーム釦となり、撮影再生時やメニュー表示時には外部液晶１５１に表示されメニューの選択を行う釦となる。
次に図２２乃至図２４を用いてカメラ１４０の内部、特に電池蓋ロック構成について説明する。
【００５６】
１５６はカメラ１４０の底面部にヒンジ軸１５３によってスライドと回転可能に本体に組みつけられる電池蓋である。電池蓋１５６は撮影機能ダイヤル１４６に連動し、撮影機能ダイヤル１４６がＯＮ位置（ＯＦＦ以外の位置）にあるときは電池蓋１５６の開きを規制するよう、撮影機能ダイヤル１４６の裏面の一部（ＯＦＦ位置）に切り欠き１４６ａを設け、この位置以外にあるときは電池蓋ロック部材１５４をカメラ下面側に押し下げ電池蓋ロック部材１５４の当接部（ヒンジ軸との）１５４ａが電池蓋１５２のヒンジ軸１５５の可動軌跡中に入り込む構成となっている。また電池蓋ロック部材１５４はカメラの上方向へバネ付勢されている。
【００５７】
次に撮影機能ダイヤルと連動する電池蓋ラッチのロック動作を示す詳細図である図２５を用いて、撮影機能ダイヤルの回動と電池蓋ロック部材の作動と電池蓋ロック動作について説明する。
【００５８】
カメラ１４０が非撮影状態にあるとき、図２５（ａ）に示すように撮影機能ダイヤル１４６がＯＦＦ位置にある。このとき電池蓋ラッチのロック部材１５４の当接部１５４ａ（対ヒンジ軸）は電池蓋１５２のヒンジ軸１５３と当たることがないので非ロック状態である。
【００５９】
撮影機能ダイヤル１４６を回転させ撮影可能状態（もしくは再生可能状態）にするとカメラの電源がＯＮし、電池蓋ロック部材１５４がカメラ下側に押し下げられ電池蓋１５２のヒンジ軸１５３と当接し電池蓋の開きを規制しロック状態となる。このとき鏡筒１４１は撮影を選択時には繰出され、再生を選択時には繰り込まれたままである。
【００６０】
この状態からレリーズ釦１４５をＯＮすると、撮像素子に露光を行い、撮像素子によって光学情報が電気信号に変換される。Ａ／Ｄ変換回路によりデジタル信号に変換された撮像情報がメモリ制御回路によりメモリに記録される。
【００６１】
電池蓋を開き、電池ラッチの解除動作を行うためには、カメラ上部の撮影機能ダイヤル１４６をＯＦＦ位置にし、電池蓋ロック部材１５４がカメラ上方に移動し、電池蓋ロック部材１５４の当接部（対ヒンジ軸）１５４ａが電池蓋１５２のヒンジ軸１５３の移動軌跡中から退避しなければならない。
【００６２】
また撮影機能ダイヤル１４６をＯＦＦ位置にしなければ電池蓋１５２を開けることができないので、電池交換しようとして、誤ってカメラを落下させても、鏡筒が繰出していることがないので、鏡筒を破損することがない。
【００６３】
また以上第１から第５の実施形態において電池蓋や電池蓋ラッチ、電池ラッチを取り上げ説明したが、電池蓋がメモリ蓋であっても、電池蓋ラッチがメモリ蓋ラッチであっても、電池ラッチがメモリラッチであっても構わない。
【００６４】
また図２５、２６に示すように、使用する電池は専用充電池１６０であっても、汎用電池１６１であっても構わない。
【００６５】
以上説明したように、上記の実施形態によれば、本体内部に電源となる電池を収容する電池室を有する撮像装置において、前記撮像装置の起動中において、前記撮像装置の作動部材に連動し、前記電池が前記本体から離脱しないようにロックするロック手段を備えることにより、撮影中の電池の離脱を防止し、撮影した画像データの破損を防ぐことができる。
【００６６】
また、前記作動部材は光軸に沿う方向に移動可能な鏡筒であり、前記ロック手段は、前記鏡筒の光軸に沿う方向の移動位置に応じて、前記電池室を覆う蓋部材を開放可能な状態にするロック解除位置と開放不能な状態にするロック位置とに移動するロック部材を有することにより、撮影中の電池の離脱を防止し、撮影した画像データの破損を防ぐことができ、鏡筒が繰出した状態で電池の交換ができなくなるので、鏡筒破損を防止することができる。
【００６７】
また、前記作動部材は光軸に沿う方向に移動可能な鏡筒であり、前記ロック手段は、前記鏡筒の光軸に沿う方向の移動位置に応じて、前記電池室を覆う蓋部材のラッチ部材を開放可能な状態にするロック解除位置と開放不能な状態にするロック位置とに移動するロック部材を有することにより、撮影中の電池の離脱を防止し、撮影した画像データの破損を防ぐことができ、鏡筒が繰出した状態で電池の交換ができなくなるので、鏡筒破損を防止することができる。
【００６８】
また、前記作動部材は光軸に沿う方向に移動可能な鏡筒であり、前記ロック手段は、前記鏡筒の光軸に沿う方向の移動位置に応じて、前記電池を係脱可能にするラッチ部材を開放可能な状態にするロック解除位置と開放不能な状態にするロック位置とに移動するロック部材を有することにより撮影中の電池の離脱を防止し、撮影した画像データの破損を防ことができ、鏡筒が繰出した状態で電池の交換ができなくなるので、鏡筒破損を防止することができる。
【００６９】
また、前記撮像装置は、被写体を撮像して画像信号を生成する撮像部を備え、前記撮像部が撮像した画像データをメモリに書き込んでいる間は、前記鏡筒は前記ロック部材のロック解除位置以外の位置に位置することにより撮影中の電池の離脱を防止し、撮影した画像データの破損を防ぐことができる。
【００７０】
また、前記蓋部材の、前記電池室を完全に覆う第１の位置と前記ロック部材に当接する第２の位置との間の移動を検知する検知手段をさらに備え、前記撮像装置は、前記検知手段の検知信号に基づいて前記鏡筒を前記本体内に繰り込むことにより、鏡筒が繰出した状態での電池やメモリ交換をできなくなるので、鏡筒破損を防止することができる。
【００７１】
また、前記撮像装置の主電源がＯＮ状態のとき、前記蓋部材の閉じ動作が前記検知手段により検知された場合、前記鏡筒を所定の位置に繰出すことにより撮影動作までの時間を短縮することができるので、シャッターチャンスを逃すことを防止することができる。
【００７２】
また、前記ラッチ部材の、前記電池を完全に係止する第１の位置と前記ロック部材に当接する第２の位置との間の移動を検知する検知手段をさらに備え、前記撮像装置は、前記検知手段の検知信号に基づいて前記鏡筒を前記本体内に繰り込むことにより鏡筒が繰出した状態で電池の交換ができなくなるので、鏡筒破損を防止することができる。
【００７３】
また、前記撮像装置の主電源がＯＮ状態のとき、前記ラッチ部材の係止動作が前記検知手段により検知された場合、前記鏡筒を所定の位置に繰出すことにより撮影動作までの時間を短縮することができるので、シャッターチャンスを逃すことを防止することができる。
【００７４】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記電池室を覆う蓋部材を開放可能な状態にするロック解除位置と開放不能な状態にするロック位置とに移動するロック部材を有することにより撮影中の電池の離脱を防止し、撮影した画像データの破損を防ことができ、鏡筒が繰出した状態で電池の交換ができなくなるので、鏡筒破損を防止することができる。
【００７５】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記電池室を覆う蓋部材のラッチ部材を開放可能な状態にするロック解除位置と開放不能な状態にするロック位置とに移動するロック部材を有することにより撮影中の電池の離脱を防止し、撮影した画像データの破損を防ことができ、鏡筒が繰出した状態で電池の交換ができなくなるので、鏡筒破損を防止することができる。
【００７６】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記電池を係脱可能にするラッチ部材を開放可能な状態にするロック解除位置と開放不能な状態にするロック位置とに移動するロック部材を有することにより撮影中の電池の離脱を防止し、撮影した画像データの破損を防ことができ、鏡筒が繰出した状態で電池の交換ができなくなるので、鏡筒破損を防止することができる。
【００７７】
また、前記撮像装置は、被写体を撮像して画像信号を生成する撮像部を備え、前記撮像部が撮像した画像データをメモリに書き込んでいる間は、前記バリアは前記ロック部材のロック解除位置以外の位置に位置することにより撮影中の電池の離脱を防止し、撮影した画像データの破損を防ぐことができる。
【００７８】
また、前記作動部材は前記撮像装置の電源の操作部材であり、前記ロック手段は、前記操作部材の移動位置に応じて、前記電池室を覆う蓋部材を開放可能な状態にするロック解除位置と開放不能な状態にするロック位置とに移動するロック部材を有することにより、撮影中の電池の離脱を防止し、撮影した画像データの破損を防ことができる。
【００７９】
また、前記作動部材は前記撮像装置の電源の操作部材であり、前記ロック手段は、前記操作部材の移動位置に応じて、前記電池室を覆う蓋部材のラッチ部材を開放可能な状態にするロック解除位置と開放不能な状態にするロック位置とに移動するロック部材を有することにより、撮影中の電池の離脱を防止し、撮影した画像データの破損を防ことができる。
【００８０】
また、前記作動部材は前記撮像装置の電源の操作部材であり、前記ロック手段は、前記操作部材の移動位置に応じて、前記電池を係脱可能にするラッチ部材を開放可能な状態にするロック解除位置と開放不能な状態にするロック位置とに移動するロック部材を有することにより、撮影中の電池の離脱を防止し、撮影した画像データの破損を防ことができる。
【００８１】
また、本体内部に電気的な記録手段となるメモリを収容するメモリ室を有する撮像装置において、前記撮像装置の起動中において、前記撮像装置の作動部材に連動し、前記メモリが前記本体から離脱しないようにロックするロック手段を備えることにより、撮影中のメモリの離脱を防止し、撮影した画像データの破損を防ぐことができる。
【００８２】
また、前記作動部材は光軸に沿う方向に移動可能な鏡筒であり、前記ロック手段は、前記鏡筒の光軸に沿う方向の移動位置に応じて、前記メモリ室を覆う蓋部材を開放可能な状態にするロック解除位置と開放不能な状態にするロック位置とに移動するロック部材を有することにより、撮影中のメモリの離脱を防止し、撮影した画像データの破損を防ことができ、鏡筒が繰出した状態でメモリの交換ができなくなるので、鏡筒破損を防止することができる。
【００８３】
また、前記作動部材は光軸に沿う方向に移動可能な鏡筒であり、前記ロック手段は、前記鏡筒の光軸に沿う方向の移動位置に応じて、前記メモリ室を覆う蓋部材のラッチ部材を開放可能な状態にするロック解除位置と開放不能な状態にするロック位置とに移動するロック部材を有することにより、撮影中のメモリの離脱を防止し、撮影した画像データの破損を防ことができ、鏡筒が繰出した状態でメモリの交換ができなくなるので、鏡筒破損を防止することができる。
【００８４】
また、前記作動部材は光軸に沿う方向に移動可能な鏡筒であり、前記ロック手段は、前記鏡筒の光軸に沿う方向の移動位置に応じて、前記メモリを係脱可能にするラッチ部材を開放可能な状態にするロック解除位置と開放不能な状態にするロック位置とに移動するロック部材を有することにより撮影中のメモリの離脱を防止し、撮影した画像データの破損を防ことができ、鏡筒が繰出した状態でメモリの交換ができなくなるので、鏡筒破損を防止することができる。
【００８５】
また、前記撮像装置は、被写体を撮像して画像信号を生成する撮像部を備え、前記撮像部が撮像した画像データを前記メモリに書き込んでいる間は、前記鏡筒は前記ロック部材のロック解除位置以外の位置に位置することにより撮影中のメモリの離脱を防止し、撮影した画像データの破損を防ぐことができる。
【００８６】
また、前記蓋部材の、前記メモリ室を完全に覆う第１の位置と前記ロック部材に当接する第２の位置との間の移動を検知する検知手段をさらに備え、前記撮像装置は、前記検知手段の検知信号に基づいて前記鏡筒を前記本体内に繰り込むことにより、鏡筒が繰出した状態でのメモリやメモリ交換をできなくなるので、鏡筒破損を防止することができる。
【００８７】
また、前記撮像装置の主電源がＯＮ状態のとき、前記蓋部材の閉じ動作が前記検知手段により検知された場合、前記鏡筒を所定の位置に繰出すことにより撮影動作までの時間を短縮することができるので、シャッターチャンスを逃すことを防止することができる。
【００８８】
また、前記ラッチ部材の、前記メモリを完全に係止する第１の位置と前記ロック部材に当接する第２の位置との間の移動を検知する検知手段をさらに備え、前記撮像装置は、前記検知手段の検知信号に基づいて前記鏡筒を前記本体内に繰り込むことにより鏡筒が繰出した状態でメモリの交換ができなくなるので、鏡筒破損を防止することができる。
【００８９】
また、前記撮像装置の主電源がＯＮ状態のとき、前記ラッチ部材の係止動作が前記検知手段により検知された場合、前記鏡筒を所定の位置に繰出すことにより撮影動作までの時間を短縮することができるので、シャッターチャンスを逃すことを防止することができる。
【００９０】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記メモリ室を覆う蓋部材を開放可能な状態にするロック解除位置と開放不能な状態にするロック位置とに移動するロック部材を有することにより撮影中のメモリの離脱を防止し、撮影した画像データの破損を防ことができ、鏡筒が繰出した状態でメモリの交換ができなくなるので、鏡筒破損を防止することができる。
【００９１】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記メモリ室を覆う蓋部材のラッチ部材を開放可能な状態にするロック解除位置と開放不能な状態にするロック位置とに移動するロック部材を有することにより撮影中のメモリの離脱を防止し、撮影した画像データの破損を防ことができ、鏡筒が繰出した状態でメモリの交換ができなくなるので、鏡筒破損を防止することができる。
【００９２】
また、前記作動部材は光軸に沿う方向に移動可能な鏡筒の前面を覆う閉位置と前記鏡筒の前面から退避する開位置との間を移動可能なバリアであり、前記ロック手段は、前記バリアの移動位置に応じて、前記メモリを係脱可能にするラッチ部材を開放可能な状態にするロック解除位置と開放不能な状態にするロック位置とに移動するロック部材を有することにより撮影中のメモリの離脱を防止し、撮影した画像データの破損を防ことができ、鏡筒が繰出した状態でメモリの交換ができなくなるので、鏡筒破損を防止することができる。
【００９３】
また、前記撮像装置は、被写体を撮像して画像信号を生成する撮像部を備え、前記撮像部が撮像した画像データを前記メモリに書き込んでいる間は、前記バリアは前記ロック部材のロック解除位置以外の位置に位置することにより撮影中のメモリの離脱を防止し、撮影した画像データの破損を防ぐことができる。
【００９４】
また、前記作動部材は前記撮像装置の電源の操作部材であり、前記ロック手段は、前記操作部材の移動位置に応じて、前記メモリ室を覆う蓋部材を開放可能な状態にするロック解除位置と開放不能な状態にするロック位置とに移動するロック部材を有することにより、撮影中のメモリの離脱を防止し、撮影した画像データの破損を防ことができる。
【００９５】
また、前記作動部材は前記撮像装置の電源の操作部材であり、前記ロック手段は、前記操作部材の移動位置に応じて、前記メモリ室を覆う蓋部材のラッチ部材を開放可能な状態にするロック解除位置と開放不能な状態にするロック位置とに移動するロック部材を有することにより、撮影中のメモリの離脱を防止し、撮影した画像データの破損を防ことができる。
【００９６】
また、前記作動部材は前記撮像装置の電源の操作部材であり、前記ロック手段は、前記操作部材の移動位置に応じて、前記メモリを係脱可能にするラッチ部材を開放可能な状態にするロック解除位置と開放不能な状態にするロック位置とに移動するロック部材を有することにより、撮影中のメモリの離脱を防止し、撮影した画像データの破損を防ことができる。
【００９７】
【発明の効果】
以上説明したように、本発明によれば、データ書き込み中や鏡筒が繰り出した状態では電池やメモリの交換をできないようにすることが可能となる。
【図面の簡単な説明】
【図１】本発明の第１の実施形態に係わるデジタルカメラの外観を示す斜視図である。
【図２】図１のデジタルカメラの内部を示す斜視図である。
【図３】図２の電池蓋ロック部材の付勢状態を示す詳細図である。
【図４】図２の電池蓋ロック部材の蓋ロック構成を示す詳細図である。
【図５】第１の実施形態に係わるデジタルカメラのブロック図である。
【図６】図２の電池蓋ロック部材の動きを示す詳細図である。
【図７】撮影時、蓋開き動作に関するシーケンスのフローチャートである。
【図８】本発明の第２の実施形態に係わる電池ラッチにロック部材を設けた際のカメラ内部を示す底面斜視図である。
【図９】図８の電池ラッチ構成を示す詳細図である。
【図１０】図８の電池ラッチのロック部材の動きを示す詳細図である。
【図１１】本発明の第３の実施形態に係わる電池蓋ラッチを設けた際のカメラ外観を示す底面図である。
【図１２】図１１の電池蓋ラッチにロック部材を設けた際のカメラ内部を示す詳細図である。
【図１３】図１１の電池蓋ラッチのロック構成を示す詳細上面図である。
【図１４】図１１の電池蓋ラッチのロック構成を示す詳細正面図である。
【図１５】図１１の電池蓋ラッチのロック部材の動きを示す詳細図である。
【図１６】本発明の第４の実施形態に係わるスライドバリアを有するデジタルカメラの外観を示す斜視図である。
【図１７】図１６のスライドバリアを有するデジタルカメラ内部を示す底面図である。
【図１８】図１６のスライドバリアと連動する電池蓋ラッチのロック構成を示す詳細図である。
【図１９】図１６のスライドバリアと連動する電池蓋ラッチのロック部材の動きを示す詳細図である。
【図２０】撮影時、蓋開き動作に関するシーケンスのフローチャートである。
【図２１】本発明の第５の実施形態に係わる撮影モード変更ダイヤルを有するデジタルカメラの外観を示す斜視図である。
【図２２】図１８の撮影モードダイヤルの詳細図である。
【図２３】図１８の電池蓋ロック部を示す詳細図である。
【図２４】図１８の撮影モードダイヤルとロック構成を示す詳細図である。
【図２５】図１８の撮影モードダイヤルと連動する電池蓋ロックの動きを示す詳細図である。
【図２６】専用電池を使用した際のカメラを示す斜視図である。
【図２７】汎用電池を使用した際のカメラを示す斜視図である。
【図２８】従来のデジタルカメラの撮影時、蓋開き動作に関するシーケンスのフローチャートである。
【符号の説明】
１、１１０、１４０  カメラ
２、５０、９２、１４１  鏡筒
６  電源釦
７、１１４、１４５  レリーズ釦
８、９３、１１６、１４８  メモリ蓋
２０、９０、１２１、１５６  電池蓋
２１、７０、１２０  本体
２１ａ  バネかけ（本体側）
２２、７２、９７、１２５、１５４  ロック部材
２２ａ  鏡筒当接部
２２ｂ  バネ掛け
２２ｃ、７２ａ、９７ａ、１２５ａ、１５４ａ  当接部
２３、７３、９４、１２３  鏡筒ユニット
２４、５２、７４、９６、１２４  鏡筒駆動系
２５、  バネ
２６、７５、９８、１２６、１５３  電池蓋ヒンジ軸
５１  撮影レンズ
５３  ズームモータ
５９  メモリ
６０  メモリ制御回路
６１  システム制御回路
６４、７７、９５  ＳＷ（スイッチ）
７１、１６０  専用電池
７６  電池ラッチ
９１、１２２  電池蓋ラッチ
１１１  スライドバリア
１４６  撮影モードダイヤル
【図１】
2004163608.tif 000003
【図２】
2004163608.tif 000004
【図３】
2004163608.tif 000005
【図４】
2004163608.tif 000006
【図５】
2004163608.tif 000007
【図６】
2004163608.tif 000008
【図７】
2004163608.tif 000009
【図８】
2004163608.tif 000010
【図９】
2004163608.tif 000011
【図１０】
2004163608.tif 000012
【図１１】
2004163608.tif 000013
【図１２】
2004163608.tif 000014
【図１３】
2004163608.tif 000015
【図１４】
2004163608.tif 000016
【図１５】
2004163608.tif 000017
【図１６】
2004163608.tif 000018
【図１７】
2004163608.tif 000019
【図１８】
2004163608.tif 000020
【図１９】
2004163608.tif 000021
【図２０】
2004163608.tif 000022
【図２１】
2004163608.tif 000023
【図２２】
2004163608.tif 000024
【図２３】
2004163608.tif 000025
【図２４】
2004163608.tif 000026
【図２５】
2004163608.tif 000027
【図２６】
2004163608.tif 000028
【図２７】
2004163608.tif 000029
【図２８】
2004163608.tif 000030